(57)【要約】【課題】多層光ディスクにおいて、フォーカス外れの誤判断による不要な記録停止をなくし、記録時間を短縮すること。【解決手段】エラー信号生成手段３は、多層光ディスク１の記録面からの反射光によりフォーカスエラー信号を生成する。制御手段６，７，８は、フォーカスエラー信号のレベルが第１の閾値より大きく、かつフォーカスエラーの方向が対向する他の記録面に近づく方向である場合、レーザ駆動手段９に対し、記録用レーザパワーの供給を停止させる。【選択図】図１
2006331593.tif 000002
【特許請求の範囲】
【請求項１】
複数の記録面を有する光ディスクにデータを記録する光ディスク記録装置において、
該光ディスクにレーザ光を照射してデータを記録するピックアップと、
該ピックアップに記録用レーザパワーを供給するレーザ駆動手段と、
上記光ディスクの記録面からの反射光によりフォーカスエラー信号を生成するエラー信号生成手段と、
該エラー信号生成手段の生成するフォーカスエラー信号に基づいて、上記レーザ駆動手段を制御する制御手段とを備え、
該制御手段は、上記フォーカスエラー信号のレベルが第１の閾値より大きく、かつフォーカスエラーの方向が記録中の記録面から対向する他の記録面に近づく方向である場合、上記レーザ駆動手段に対し、記録用レーザパワーの供給を停止させることを特徴とする光ディスク記録装置。
【請求項２】
請求項１記載の光ディスク記録装置において、
前記制御手段は、前記フォーカスエラー信号のレベルが前記第１の閾値より大きくても、フォーカスエラーの方向が対向する他の記録面から遠ざかる方向である場合、前記レーザ駆動手段に対し、記録用レーザパワーの供給を継続させることを特徴とする光ディスク記録装置。
【請求項３】
請求項１または２記載の光ディスク記録装置において、
前記制御手段は、前記フォーカスエラー信号のレベルが第２の閾値より大きく、フォーカスエラーの方向が対向する他の記録面から遠ざかる方向である場合、前記レーザ駆動手段に対し、記録用レーザパワーの供給を停止させることを特徴とする光ディスク記録装置。
【請求項４】
請求項３記載の光ディスク記録装置において、
前記第２の閾値を前記第１の閾値よりも大きな値に設定することを特徴とする光ディスク記録装置。
【請求項５】
請求項１ないし３のいずれか１項記載の光ディスク記録装置において、
前記制御手段は、前記フォーカスエラーの方向を、現在記録中の記録面の位置情報と、前記フォーカスエラー信号の極性とから判定することを特徴とする光ディスク記録装置。
【発明の詳細な説明】
【技術分野】
【０００１】
本発明は、複数の記録面を有する光ディスクにデータを記録する場合に、記録中の記録面からの脱面を好適に検出して記録を停止する光ディスク記録装置に関する。
【背景技術】
【０００２】
光ディスクの大容量化を目的に、片面または両面に複数の記録面を有する記録用光ディスク（以下、多層ディスク）が製品化されている。このような多層ディスクにおいては、記録面間の距離が接近しているので、所望の記録面へのフォーカス制御技術がより重要となる。なぜなら、従来の単一の記録面を有する光ディスク（単層ディスク）では仮にフォーカス外れが発生しても、記録に失敗した領域の記録のやり直しが許される。しかしながら多層ディスクでは、フォーカス外れが発生して記録用光ビームが対向する他の記録面に及んだ場合（以下、脱面とよぶ）、他の記録面へ誤ってデータを記録してしまうことになる。その場合、他の記録面に記録されていた以前のデータは消失してしまう。
【０００３】
従来、多層ディスクにおける誤記録防止のため、フォーカス誤差信号が許容値を超えたら、直ちに記録を停止するようにしている。例えば特許文献１には、フォーカス誤差信号の増加を監視し、それが増加したら光ビームの強度を記録できないレベルまで低下させる技術が開示される。
【０００４】
【特許文献１】特開２００１−１７６０７７号公報
【発明の開示】
【発明が解決しようとする課題】
【０００５】
一般にフォーカス誤差を生じる要因の１つとして、光ディスク記録膜の歪み、カバー層の不均一性などの物理的な微小欠陥（以下、デビエーション）が挙げられる。デビエーションの場合には、その記録領域での記録品質が劣化することはあるが、対向する隣接面への誤記録の恐れは少ない。また、フォーカス外れの方向が、隣接面に近づく方向の場合は問題となるが、隣接面から遠ざかる方向の場合には、誤記録の恐れはない。
【０００６】
特許文献１に示される技術は、フォーカス誤差を所定値と比較し、所定値を越えたら光ビーム強度を低下させるものであるが、フォーカス外れの方向がいずれの方向であるのか（隣接面に近づく方向か、遠ざかる方向か）については区別していない。よって、フォーカス方向が遠ざかる方向の場合でも隣接面への脱面と誤判断して記録を停止することになる。その結果、不要な記録停止が発生する。
【０００７】
また通常の記録は、所定のデータ単位（例えばＥＣＣ単位）でなされるので、記録停止後に記録を再開するとき、その中断した箇所だけでなく、それを含む所定のデータ単位で再度記録を行わねばならない。よって、それだけ記録時間の無駄になり、記録途中での中断はできるだけ回避したい。
【０００８】
本発明の目的は、上記した課題に鑑み、フォーカス外れの誤判断による不要な記録停止をなくし、記録時間を短縮することにある。
【課題を解決するための手段】
【０００９】
本発明による光ディスク記録装置は、複数の記録面を有する光ディスクにレーザ光を照射してデータを記録するピックアップと、ピックアップに記録用レーザパワーを供給するレーザ駆動手段と、光ディスクの記録面からの反射光によりフォーカスエラー信号を生成するエラー信号生成手段と、エラー信号生成手段の生成するフォーカスエラー信号に基づいて、レーザ駆動手段を制御する制御手段とを備える。ここに制御手段は、フォーカスエラー信号のレベル（その絶対値）が第１の閾値より大きく、かつフォーカスエラーの方向が記録中の記録面から対向する他の記録面に近づく方向である場合、レーザ駆動手段に対し、記録用レーザパワーの供給を停止させる。また制御手段は、フォーカスエラー信号のレベルが第１の閾値より大きくても、フォーカスエラーの方向が対向する他の記録面から遠ざかる方向である場合、レーザ駆動手段に対し、記録用レーザパワーの供給を継続させる。
【００１０】
さらに制御手段は、フォーカスエラー信号のレベルが第２の閾値より大きく、フォーカスエラーの方向が対向する他の記録面から遠ざかる方向である場合、レーザ駆動手段に対し、記録用レーザパワーの供給を停止させる。ここに第２の閾値は、第１の閾値よりも大きな値に設定する。
【発明の効果】
【００１１】
本発明によれば、データの記録時間が短縮し、ユーザの使い勝手が向上する。
【発明を実施するための最良の形態】
【００１２】
以下本発明による光ディスク記録装置の実施形態について、図面を用いて説明する。
【実施例１】
【００１３】
図１は、本発明による光ディスク記録装置の一実施例を示すブロック図である。本実施例の装置は、複数の記録面（ここでは２層膜構造）の光ディスク１を装着し、ピックアップ２にて光ディスク１の所望の記録面にレーザ光を照射し、データを記録する。その際、記録面からの反射光をアンプ３で検出し、記録面とフォーカス位置（合焦点）との差であるフォーカスエラー信号を生成する。補償器４はフォーカスエラー信号を受けて、それを補償するための制御信号をドライバ５に送り、ドライバ５はピックアップ２のフォーカスアクチュエータを駆動して、フォーカスの制御を行う。
【００１４】
フォーカス外れ検出器６はアンプ３からのフォーカスエラー信号を受けて、その振幅レベル（絶対値）を閾値と比較し、閾値より大きくなったらフォーカス外れの信号を発生する。また脱面検出器７は、フォーカスエラー信号を受けて、フォーカス外れの方向を検出して、隣接面（対向する他の記録面）に近づく方向であるかを判断して信号を発生する。制御器８は、フォーカス外れ検出器６と脱面検出器７からの信号を受け、隣接面への誤記録の恐れがある「脱面」と判断した場合、記録または消去を停止する停止信号を発生する。この停止信号により、レーザドライバ９は記録用または消去用レーザパワーの供給を停止する（またはパワーレベルを低下させる）。ここで脱面検出器７は、フォーカスエラー信号の極性と、制御器８より現在記録または消去している記録面がいずれの面であるかの位置情報を元に、フォーカス外れの方向が隣接面に近づく方向であるかどうかを判定する。
【００１５】
図２は、本実施例のフォーカス外れ検出器６と脱面検出器７における脱面検出用回路の一例を示す図である。フォーカスエラー信号Ｅのレベルを正負の両極性でそれぞれ比較するため、２つの比較器１１，１２に入力する。比較器１１では閾値Ｖｔｈ１（正の値）よりも大きいかどうか比較し、比較器１２では閾値Ｖｔｈ０（負の値）よりも小さいかどうか比較する。切替器１３は、現在の記録面または消去面の情報により、比較器１１の出力と比較器１２との出力を選択して、脱面検出信号を発生する。その結果、現在記録面がＬ１層でエラー信号Ｅが閾値Ｖｔｈ１よりも大きい場合、または現在記録面がＬ０層でエラー信号Ｅが閾値Ｖｔｈ０よりも小さい場合にのみ、脱面検出信号を発生することになる。
【００１６】
ここでフォーカスエラー信号Ｅと閾値Ｖｔｈの設定について、図面で説明する。
【００１７】
図６は、フォーカスエラー信号の発生を模式的に示す図である。光ディスクには、表面側から記録面Ｌ０層と記録面Ｌ１層を有する。（ａ）は、対物レンズ６１から入射したレーザ光の合焦点６２がＬ０層に一致した状態であり、（ｂ）は、Ｌ１層に一致した状態である。対物レンズ６１を光ディスクの表面から記録面に向けて移動させると、（ｃ）のようなフォーカスエラー信号が得られる。すなわち、合焦点が記録面Ｌ０，Ｌ１位置ではゼロクロスとなり、各記録面からずれるとＳ字型波形の信号となる（記録面を通過する際に極性が反転する）。
【００１８】
図７は、フォーカスエラー信号Ｅに対する閾値Ｖｔｈの設定を示す図である。（ａ）は、上記図２の実施例における２つの閾値Ｖｔｈ１、Ｖｔｈ０を示す。閾値Ｖｔｈ１は、現在の記録面がＬ１層であって、合焦点が対向するＬ０層側へ接近するときの脱面許容値である。一方閾値Ｖｔｈ０は、現在の記録面がＬ０層であって、合焦点が対向するＬ１層側へ接近するときの脱面許容値である。Ｖｔｈ１（正の値）とＶｔｈ０（負の値）の極性が異なるのは、接近する方向が互いに逆方向になるからである。ここで、Ｖｔｈ１，Ｖｔｈ０の値は、例えば、フォーカスエラー最大振幅±Ｖｐｐ／２の３０％レベル程度に設定するのが好ましい。また、Ｖｔｈ１，Ｖｔｈ０の値には、各記録面Ｌ１，Ｌ０の制御特性に応じて差を設けてもよい。
【００１９】
図４は、本実施例における脱面検出のフローチャートを示す図である。脱面検出の指令により、現在記録中の記録面がＬ１層かどうかを判定する（Ｓ４１）。これは、制御器８からの情報で判定できる。Ｌ１層であれば、エラー信号Ｅのレベルが閾値Ｖｔｈ１以上かどうかを判定する（Ｓ４２）。閾値Ｖｔｈ１より大きい場合には、Ｌ０層へ近づく方向でもあるので、脱面信号を発生し（Ｓ４４）、記録または消去停止信号を発する（Ｓ４５）。Ｓ４１で記録面がＬ１層でない（すなわちＬ０層）ときは、エラー信号Ｅのレベルが閾値Ｖｔｈ０（負の値）より小さいかどうかを判定する（Ｓ４３）。閾値Ｖｔｈ０より小さい場合には、Ｌ１層へ近づく方向でもあるので、脱面信号を発生し（Ｓ４４）、記録または消去を停止させる（Ｓ４５）。上記以外の場合は、たとえエラー信号Ｅのレベルが閾値Ｖｔｈ１より大きく、または閾値Ｖｔｈ０より小さくても、対向する記録面から遠ざかる場合には脱面ではないと判定し、記録または消去を継続する（Ｓ４６）。
【００２０】
本実施例によれば、フォーカスエラー信号が閾値を越えた場合、合焦点が対向する他の記録面へ近づく場合にのみ脱面と判定し、記録または消去を停止する。そして、合焦点が対向する記録面から遠ざかる場合には記録または消去を継続するので、記録・消去の停止に伴う時間の損失を軽減することができる。
【実施例２】
【００２１】
図３は、本発明における脱面検出用回路の他の実施例を示す図である。装置全体の構成は図１と共通であるが、フォーカス外れ検出器６と脱面検出器７の制御を変更したものである。フォーカスエラー信号Ｅを４つの比較器２１，２２，２３，２４に入力する。このうち、比較器２１，２３は前記実施例１１，１２と同様に、それぞれ閾値Ｖｔｈ１＋よりも大きいか、また閾値Ｖｔｈ０−より小さいかどうか比較する。さらに比較器２２，２４は、それぞれ閾値Ｖｔｈ１−よりも小さいか、また閾値Ｖｔｈ０＋より大きいかどうか比較する。演算器２５，２６は、それぞれ比較器２１，２２の論理和、比較器２３，２４の論理和を演算する。切替器２７は、現在記録面の情報により、演算器２５の出力または演算器２６の出力を選択して、脱面検出信号を発生する。
【００２２】
図７（ｂ）は、図３における各閾値Ｖｔｈ１＋，Ｖｔｈ１−，Ｖｔｈ０−，Ｖｔｈ０＋の設定を示す図である。このうちＶｔｈ１＋とＶｔｈ０−は、図７（ａ）と同様に、合焦点が対向する記録面へ近づくときの脱面許容値である。さらにＶｔｈ１−とＶｔｈ０＋は、合焦点が対向する記録面から遠ざかる方向の場合にも、エラー量（フォーカス外れ）の許容値を設定したものである。このフォーカス外れに対する閾値Ｖｔｈ１−，Ｖｔｈ０＋の値は、例えば±Ｖｐｐ／２の５０％レベル程度とし、前記脱面許容値Ｖｔｈ１＋，Ｖｔｈ０−よりも大きな値に設定する。
【００２３】
図５は、本実施例における脱面検出のフローチャートを示す図である。脱面検出の指令により、現在の記録面がＬ１層かどうかを判定する（Ｓ５１）。Ｌ１層であれば、エラー信号Ｅのレベルが閾値Ｖｔｈ１＋以上かどうかを判定する（Ｓ５２）。閾値Ｖｔｈ１＋より大きい場合には脱面信号を発生する（Ｓ５６）。閾値Ｖｔｈ１＋より小さい場合には、閾値Ｖｔｈ１−より小さいかどうかを判定する（Ｓ５３）。閾値Ｖｔｈ１−より小さい場合には脱面信号を発生する（Ｓ５６）。脱面信号により記録または消去を停止させる（Ｓ５７）。
【００２４】
一方Ｓ５１において、記録面がＬ１層でない（すなわちＬ０層）ときは、エラー信号Ｅのレベルが閾値Ｖｔｈ０−より小さいかどうかを判定する（Ｓ５４）。閾値Ｖｔｈ０−より小さい場合には脱面信号を発生する（Ｓ５６）。閾値Ｖｔｈ０−より大きい場合には、閾値Ｖｔｈ０＋より大きいかどうかを判定する（Ｓ５５）。閾値Ｖｔｈ０＋より大きい場合には脱面信号を発生する（Ｓ５６）。上記以外の場合は、脱面ではないと判定し、記録または消去を継続する（Ｓ５８）。
【００２５】
本実施例によれば、合焦点が対向する記録面から遠ざかる場合であっても、フォーカス外れが閾値を越えた場合には脱面と判定し、記録または消去動作を停止させる。よって、記録または消去の動作をより安定に実行させることができる。この場合、閾値Ｖｔｈ１＋，Ｖｔｈ０−の値を適宜大きく設定することにより、不要な記録・消去の停止を避けることができる。
【００２６】
上記各実施例の構成によれば、フォーカス外れの誤判断による不要な記録・消去の停止をなくし、記録・消去時間を短縮する効果がある。
【００２７】
上記各実施例では、脱面検出のためにフォーカスエラー信号のレベルを利用したが、これに限らず、反射光量変化の検出、ディスク面上のアドレス検出、ウォブルＰＬＬの異常検出などの手法も利用できる。
【００２８】
また上記各実施例では、光ディスクとして２層の記録面を有する場合を説明したが、本発明はこれに限らず、３層以上の複数の記録面を有する光ディスクの場合でも同様に適用できる。その場合は、最外層の２層について、移動方向が内側方向（対向面に近づく方向）か外側方向（対向面から遠ざかる方向）かを区別して制御すればよい。
【図面の簡単な説明】
【００２９】
【図１】本発明による光ディスク記録装置の一実施例を示すブロック図。
【図２】図１における脱面検出用回路の一例を示す図。
【図３】図１における脱面検出用回路の他の例を示す図。
【図４】図２における脱面検出のフローチャートを示す図。
【図５】図３における脱面検出のフローチャートを示す図。
【図６】フォーカスエラー信号の発生を模式的に示す図。
【図７】フォーカスエラー信号に対する閾値の設定を示す図。
【符号の説明】
【００３０】
１…光ディスク、２…ピックアップ、３…アンプ、６…フォーカス外れ検出器、７…脱面検出器、８…制御器、９…レーザドライバ、１１，１２，２１，２２，２３，２４…比較器、１３，２７…切替器、２５，２６…演算器、６１…対物レンズ、６２…合焦点。
【図１】
2006331593.tif 000003
【図２】
2006331593.tif 000004
【図３】
2006331593.tif 000005
【図４】
2006331593.tif 000006
【図５】
2006331593.tif 000007
【図６】
2006331593.tif 000008
【図７】
2006331593.tif 000009